(57)【要約】【課題】１つの定電流電源回路を用いて複数種類のデータ信号を並行して出力することができる可視光通信用の点灯装置を提供する。【解決手段】点灯装置１０は、定電流電源回路２０と、定電流電源回路２０の出力端子２２ａ及び出力端子２２ｂ間に直列接続された第一変調回路３０及び第二変調回路４０と、第一変調回路３０に並列接続される第一コンデンサ５０と、第二変調回路４０に並列接続される第二コンデンサ６０とを備える。【選択図】図１
2018200762.tif 000002
【特許請求の範囲】
【請求項１】
定電流電源回路と、
前記定電流電源回路の出力端子間に直列接続された第一変調回路及び第二変調回路と、
前記第一変調回路に並列接続される第一コンデンサと、
前記第二変調回路に並列接続される第二コンデンサとを備え、
前記第一変調回路は、前記定電流電源回路または前記第一コンデンサから得られる電流を第一可視光通信信号に応じて変調して第一発光素子に供給し、
前記第二変調回路は、前記定電流電源回路または前記第二コンデンサから得られる電流を第二可視光通信信号に応じて変調して第二発光素子に供給する
点灯装置。
【請求項２】
前記第一変調回路は、前記第一発光素子に直列に接続され、前記第一可視光通信信号に応じてスイッチングされる第一スイッチング素子を有し、
前記第二変調回路は、前記第二発光素子に直列に接続され、前記第二可視光通信信号に応じてスイッチングされる第二スイッチング素子を有する
請求項１に記載の点灯装置。
【請求項３】
前記定電流電源回路は、定電流出力のコンバータ回路を有し、前記出力端子間に平滑コンデンサを有しない
請求項１または２に記載の点灯装置。
【請求項４】
さらに、前記定電流電源回路、前記第一変調回路、及び、前記第二変調回路を収容する筐体を備える
請求項１〜３のいずれか１項に記載の点灯装置。
【請求項５】
さらに、
前記第一変調回路を収容する第一筐体と、
前記第二変調回路を収容する第二筐体と、
前記定電流電源回路を収容する第三筐体とを備える
請求項１〜３のいずれか１項に記載の点灯装置。
【請求項６】
請求項１〜５のいずれか１項に記載の点灯装置と、
前記第一発光素子と、
前記第二発光素子とを備える
照明器具。
【請求項７】
請求項１〜５のいずれか１項に記載の点灯装置と、
前記第一発光素子と、
前記第二発光素子と、
前記第一発光素子によって照らされ、文字及び図形の少なくとも一方を含む第一表示板と、
前記第二発光素子によって照らされ、文字及び図形の少なくとも一方を含む第二表示板とを備える
看板。
【発明の詳細な説明】
【技術分野】
【０００１】
本発明は、可視光通信用の変調回路を備える点灯装置、点灯装置を備える照明器具、及び、点灯装置を備える看板に関する。
【背景技術】
【０００２】
照明器具等を人間の目で認識できない速さで点滅させ、当該点滅によって生じる明暗をデータ信号として使用する可視光通信が提案されている。特許文献１には、このような可視光通信（照明光通信）に使用される回路が開示されている。
【先行技術文献】
【特許文献】
【０００３】
【特許文献１】特開２０１２−６９５０５号公報
【発明の概要】
【発明が解決しようとする課題】
【０００４】
可視光通信用の点灯装置は、例えば、定電流電源回路及び変調回路を備え、定電流電源回路から得られる電流を変調回路によって変調して発光素子に供給する。一般に、複数種類のデータ信号を並行して出力するためには、点灯装置（定電流電源回路及び変調回路の組）が複数必要である。つまり、複数種類のデータ信号を並行して出力するためには定電流電源回路が複数必要となる。
【０００５】
本発明は、１つの定電流電源回路を用いて複数種類のデータ信号を並行して出力することができる可視光通信用の点灯装置、照明器具、及び、看板を提供する。
【課題を解決するための手段】
【０００６】
本発明の一態様に係る点灯装置は、定電流電源回路と、前記定電流電源回路の出力端子間に直列接続された第一変調回路及び第二変調回路と、前記第一変調回路に並列接続される第一コンデンサと、前記第二変調回路に並列接続される第二コンデンサとを備え、前記第一変調回路は、前記定電流電源回路または前記第一コンデンサから得られる電流を第一可視光通信信号に応じて変調して第一発光素子に供給し、前記第二変調回路は、前記定電流電源回路または前記第二コンデンサから得られる電流を第二可視光通信信号に応じて変調して第二発光素子に供給する。
【０００７】
本発明の一態様に係る照明器具は、前記点灯装置と、前記第一発光素子と、前記第二発光素子とを備える。
【０００８】
本発明の一態様に係る看板は、前記点灯装置と、前記第一発光素子と、前記第二発光素子と、前記第一発光素子によって照らされ、文字及び図形の少なくとも一方を含む第一表示板と、前記第二発光素子によって照らされ、文字及び図形の少なくとも一方を含む第二表示板とを備える。
【発明の効果】
【０００９】
本発明によれば、１つの定電流電源回路を用いて複数種類のデータ信号を並行して出力することができる点灯装置、照明器具、及び、看板が実現される。
【図面の簡単な説明】
【００１０】
【図１】図１は、実施の形態１に係る点灯装置の概略構成を示す図である。
【図２】図２は、定電流電源回路の具体的な回路構成の一例を示す図である。
【図３】図３は、第一変調回路の具体的な回路構成の一例を示す図である。
【図４】図４は、定電流電源回路、第一変調回路、及び、第二変調回路が１つの筐体に収容される場合の点灯装置の外観図である。
【図５】図５は、定電流電源回路、第一変調回路、及び、第二変調回路がそれぞれ別の筐体に収容される場合の点灯装置の外観図である。
【図６】図６は、実施の形態２に係る照明器具の外観図である。
【図７】図７は、実施の形態２に係る看板の外観図である。
【図８】図８は、実施の形態２に係る別の態様の看板の外観図である。
【発明を実施するための形態】
【００１１】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本開示を限定する主旨ではない。また、以下の実施の形態における構成要素のうち、最上位概念を示す独立請求項に記載されていない構成要素については、任意の構成要素として説明される。
【００１２】
また、各図は模式図であり、必ずしも厳密に図示されたものではない。また、各図において、実質的に同一の構成に対しては同一の符号を付し、重複する説明は省略または簡略化される場合がある。
【００１３】
（実施の形態１）
［概略構成］
以下、実施の形態１に係る点灯装置について図１を用いて説明する。図１は、実施の形態１に係る点灯装置の概略構成を示す図である。
【００１４】
図１に示される点灯装置１０は、複数の第一ＬＥＤ（Ｌｉｇｈｔ  Ｅｍｉｔｔｉｎｇ  Ｄｉｏｄｅ）素子７０及び複数の第二ＬＥＤ素子８０を点灯及び消灯させる装置である。点灯装置１０は、定電流電源回路２０と、第一変調回路３０と、第二変調回路４０と、第一コンデンサ５０と、第二コンデンサ６０とを備える。
【００１５】
第一ＬＥＤ素子７０は、第一変調回路３０の負荷となる第一発光素子の一例であり、可視光を発する。第一ＬＥＤ素子７０は、例えば、ＳＭＤ（Ｓｕｒｆａｃｅ  Ｍｏｕｎｔ  Ｄｅｖｉｃｅ）型のＬＥＤ素子であり、白色光を発する。
【００１６】
図１では、第一変調回路３０は、直列接続された複数の第一ＬＥＤ素子７０を点灯及び消灯させるが、第一変調回路３０は、少なくとも１つの第一ＬＥＤ素子７０を点灯及び消灯させればよい。また、第一変調回路３０によって点灯及び消灯される複数の第一ＬＥＤ素子７０は、どのように電気的に接続されていてもよい。第一変調回路３０は、例えば、直列接続された複数の第一ＬＥＤ素子７０が複数組並列に接続されたＬＥＤ素子群を点灯及び消灯させてもよい。
【００１７】
なお、第一発光素子は、ＳＭＤ型のＬＥＤ素子に限定されない。第一発光素子は、ＣＯＢ（Ｃｈｉｐ  Ｏｎ  Ｂｏａｒｄ）型の発光モジュールを構成するＬＥＤチップであってもよい。第一発光素子は、有機ＥＬ素子、無機ＥＬ素子、または、半導体レーザ等の他の発光素子であってもよい。また、第一発光素子の発光色についても特に限定されない。
【００１８】
第二ＬＥＤ素子８０は、第二変調回路４０の負荷となる第二発光素子の一例であり、可視光を発する。第二ＬＥＤ素子８０は、例えば、ＳＭＤ型のＬＥＤ素子であり、白色光を発する。
【００１９】
図１では、第二変調回路４０は、直列接続された複数の第二ＬＥＤ素子８０を点灯及び消灯させるが、第二変調回路４０は、少なくとも１つの第二ＬＥＤ素子８０を点灯及び消灯させればよい。また、第二変調回路４０によって点灯及び消灯される複数の第二ＬＥＤ素子８０は、どのように電気的に接続されていてもよい。第二変調回路４０は、例えば、直列接続された複数の第二ＬＥＤ素子８０が複数組並列に接続されたＬＥＤ素子群を点灯及び消灯させてもよい。
【００２０】
なお、第二発光素子は、ＳＭＤ型のＬＥＤ素子に限定されない。第二発光素子は、ＣＯＢ型の発光モジュールを構成するＬＥＤチップであってもよい。第二発光素子は、有機ＥＬ素子、無機ＥＬ素子、または、半導体レーザ等の他の発光素子であってもよい。また、第二発光素子の発光色についても特に限定されない。
【００２１】
定電流電源回路２０は、入力端子２１ａ、入力端子２１ｂ、出力端子２２ａ、及び、出力端子２２ｂを有する。定電流電源回路２０は、電力系統９０から入力端子２１ａ及び入力端子２１ｂを介して得られる交流電力を直流電力に変換し、出力端子２２ａ及び出力端子２２ｂを介してほぼ一定の直流電流ｉを出力する。
【００２２】
第一変調回路３０は、入力端子３１ａ、入力端子３１ｂ、出力端子３２ａ、出力端子３２ｂ、及び、第一スイッチング素子３３を有する。出力端子３２ａ及び出力端子３２ｂの間には、複数の第一ＬＥＤ素子７０が電気的に接続される。上述のように、複数の第一ＬＥＤ素子７０は、直列接続されている。
【００２３】
第一変調回路３０は、第一可視光通信信号に応じて変調された電流ｉ１を第一ＬＥＤ素子７０に供給する。電流ｉ１の変調は、第一スイッチング素子３３のオン及びオフによって行われる。これにより、第一ＬＥＤ素子７０は、人間の目で認識できない速さで点滅し、撮像装置を備えるスマートフォン等の携帯端末は、この点滅によって生じる明暗を第一データ信号として認識することができる。
【００２４】
第二変調回路４０は、入力端子４１ａ、入力端子４１ｂ、出力端子４２ａ、出力端子４２ｂ、及び、第二スイッチング素子４３を有する。出力端子４２ａ及び出力端子４２ｂの間には、複数の第二ＬＥＤ素子８０が電気的に接続される。上述のように、複数の第二ＬＥＤ素子８０は、直列接続されている。
【００２５】
第二変調回路４０は、第一可視光通信信号とは異なる第二可視光通信信号に応じて変調された電流ｉ２を第二ＬＥＤ素子８０に供給する。電流ｉ２の変調は、第二スイッチング素子４３のオン及びオフによって行われる。これにより、第二ＬＥＤ素子８０は、人間の目で認識できない速さで点滅し、スマートフォン等の携帯端末は、この点滅により生じる明暗を第一データ信号と異なる第二データ信号として認識することができる。
【００２６】
ここで、第一変調回路３０及び第二変調回路４０は、定電流電源回路２０の出力端子２２ａ及び出力端子２２ｂの間に直列接続される。具体的には、出力端子２２ａ及び入力端子３１ａが電気的に接続され、入力端子３１ｂ及び入力端子４１ａが電気的に接続され、入力端子４１ｂ及び出力端子２２ｂが電気的に接続されている。
【００２７】
これにより、点灯装置１０は、１つの定電流電源回路２０によって２種類のデータ信号を並行して出力することができる。なお、定電流電源回路２０の出力端子２２ａ及び出力端子２２ｂの間には、３つ以上の変調回路が直列接続されてもよい。
【００２８】
複数種類のデータ信号が互いに干渉せずに出力されるためには、第一ＬＥＤ素子７０及び第二ＬＥＤ素子８０が独立して点滅する必要がある。しかしながら、第一変調回路３０は、第二スイッチング素子４３がオンのときには定電流電源回路２０から電流を得て第一ＬＥＤ素子７０を発光させることができるが、第二スイッチング素子４３がオフのときには、電流ループが切断されてしまうため定電流電源回路２０から電流を得ることができない。つまり、第一変調回路３０は、第二スイッチング素子４３がオフのときには、第一ＬＥＤ素子７０を発光させることができない。
【００２９】
そこで、点灯装置１０は、第一変調回路３０に並列接続される第一コンデンサ５０を備える。第一コンデンサ５０の一端は、入力端子３１ａに電気的に接続され、第一コンデンサ５０の他端は、入力端子３１ｂに電気的に接続されている。第一コンデンサ５０には、第二スイッチング素子４３がオフのときに第一ＬＥＤ素子７０へ電流を供給するための電荷が蓄積される。これにより、第二スイッチング素子４３がオフのときには、第一変調回路３０は、第一コンデンサ５０から電流を得て第一ＬＥＤ素子７０を発光させることができる。第一コンデンサ５０は、例えば、電解コンデンサである。第一コンデンサ５０には、比較的容量の大きいコンデンサが用いられるとよい。
【００３０】
同様に、第二変調回路４０は、第一スイッチング素子３３がオンのときには定電流電源回路２０から電流を得て第二ＬＥＤ素子８０を発光させることができるが、第一スイッチング素子３３がオフのときには、電流ループが切断されてしまうため定電流電源回路２０から電流を得ることができない。つまり、第二変調回路４０は、第一スイッチング素子３３がオフのときには、第二ＬＥＤ素子８０を発光させることができない。
【００３１】
そこで、点灯装置１０は、第二変調回路４０に並列接続される第二コンデンサ６０を備える。第二コンデンサ６０の一端は、入力端子４１ａに電気的に接続され、第二コンデンサ６０の他端は、入力端子４１ｂに電気的に接続されている。第二コンデンサ６０には、第一スイッチング素子３３がオフのときに第二ＬＥＤ素子８０へ電流を供給するための電荷が蓄積される。これにより、第一スイッチング素子３３がオフのときには、第二変調回路４０は、第二コンデンサ６０から電流を得て第二ＬＥＤ素子８０を発光させることができる。第二コンデンサ６０は、例えば、電解コンデンサである。第二コンデンサ６０には、比較的容量の大きいコンデンサが用いられるとよい。
【００３２】
［定電流電源回路の具体的構成］
次に、定電流電源回路２０の具体的な回路構成について説明する。図２は、定電流電源回路２０の具体的な回路構成の一例を示す図である。
【００３３】
図２に示されるように、定電流電源回路２０は、主として、フィルタ回路２３と、整流回路２４と、平滑コンデンサＣ１と、昇圧コンバータ回路２５と、フライバックコンバータ回路２６とを備える。
【００３４】
フィルタ回路２３は、電力系統９０から得られる交流電力に含まれるノイズ、及び、電力系統９０に流出する、コンバータで発生するノイズを低減する回路である。フィルタ回路２３は、例えば、インダクタ及びコンデンサによって構成される。
【００３５】
整流回路２４は、フィルタ回路２３によってノイズが低減された交流電力を直流電力に変換する回路である。整流回路２４は、具体的には、ダイオードブリッジによって構成される全波整流回路である。平滑コンデンサＣ１は、整流回路２４から出力された直流電力を平滑化する。平滑コンデンサＣ１は、例えば、電解コンデンサである。
【００３６】
昇圧コンバータ回路２５は、力率改善動作を行う回路である。昇圧コンバータ回路２５は、チョークコイルＬ１と、スイッチング素子Ｓ１と、ダイオードＤ１と、平滑コンデンサＣ２と、制御部２５ａとを有する。
【００３７】
制御部２５ａは、スイッチング素子Ｓ１を高速でスイッチングする（オン及びオフを繰り返す）制御を行う制御回路（制御ＩＣ）である。スイッチング素子Ｓ１は、例えば、ＦＥＴ（Ｆｉｅｌｄ  Ｅｆｆｅｃｔ  Ｔｒａｎｓｉｓｔｏｒ）である。
【００３８】
制御部２５ａによってスイッチング素子Ｓ１がオンされているときは、チョークコイルＬ１にエネルギーが蓄えられ、スイッチング素子Ｓ２がオフされているときには、チョークコイルＬ１は、スイッチング素子Ｓ１がオンされているときの電流を維持しようとしてエネルギーを放出する。この結果、ダイオードＤ１を介して直流電圧が出力される。出力された直流電圧は、平滑コンデンサＣ２によって平滑化される。平滑コンデンサＣ２は、例えば、電解コンデンサである。
【００３９】
フライバックコンバータ回路２６は、昇圧コンバータ回路２５から出力されるほぼ一定の直流電圧をほぼ一定の電流に変換する回路である。フライバックコンバータ回路２６は、トランスＴと、スイッチング素子Ｓ２と、ダイオードＤ２と、平滑コンデンサＣ３と、制御部２６ａとを有する。
【００４０】
制御部２６ａは、スイッチング素子Ｓ２を高速でスイッチングする（オン及びオフを繰り返す）制御を行う制御回路（制御ＩＣ）である。スイッチング素子Ｓ２は、例えば、ＦＥＴである。制御部２６ａによってスイッチング素子Ｓ２がスイッチングされると、電磁誘導によってトランスＴの一次巻線から二次巻線へエネルギーが伝達され、二次巻線に電流が流れる。この電流は、ダイオードＤ２によって整流され、平滑コンデンサＣ３によって平滑化される。平滑コンデンサＣ３は、言い換えれば、リプル電流を低減する。平滑コンデンサＣ３は、例えば、電解コンデンサであり、出力端子２２ａ及び出力端子２２ｂの間に接続される。
【００４１】
なお、制御部２６ａは、一次巻線を流れる電流または二次巻線を流れる電流をモニタし、モニタした電流がほぼ一定となるようにスイッチング周波数またはデューティ比を変更する制御を行う。二次巻線を流れる電流をモニタする場合には、フォトカプラなどの絶縁素子が用いられる。
【００４２】
ここで、制御部２６ａのスイッチング周波数（フライバックコンバータ回路２６の動作周波数）は、可視光通信信号のビットレートに相当する周波数（例えば、数ｋＨｚ〜数ＭＨｚ程度）より高くてもよい。これにより、リプル電流に対する平滑コンデンサＣ３のインピーダンスが低下するため、平滑コンデンサＣ３によってリプル電流を低減しやすくなる。
【００４３】
なお、点灯装置１０においては、第一コンデンサ５０及び第二コンデンサ６０が平滑コンデンサＣ３と同様の機能を果たす。したがって、定電流電源回路２０は、出力端子間に平滑コンデンサＣ３を有していなくてもよい。平滑コンデンサＣ３が省略されることにより、点灯装置１０における部品点数の削減が実現される。
【００４４】
以上、定電流電源回路２０の回路構成について説明したが、このような回路構成は、一例である。定電流電源回路２０は、定電流源として機能する電源回路であれば、その他の回路構成であってもよい。
【００４５】
［第一変調回路の具体的構成］
次に、第一変調回路３０の具体的な回路構成について説明する。図３は、第一変調回路３０の具体的な回路構成の一例を示す図である。
【００４６】
上述のように、第一変調回路３０は、定電流電源回路２０または第一コンデンサ５０から得られる電流を第一可視光通信信号に応じて変調して第一ＬＥＤ素子７０に供給する。第一変調回路３０は、主として、第一スイッチング素子３３と、制御部用電源回路３４と、制御部３５とを備える。また、上述のように、第一変調回路３０の入力端子３１ａ及び入力端子３１ｂの間には、第一コンデンサ５０が挿入されている。
【００４７】
第一スイッチング素子３３は、第一ＬＥＤ素子７０と直列接続され、制御部３５によって第一可視光通信信号に応じてスイッチングされる。第一スイッチング素子３３は、例えば、ＦＥＴである。
【００４８】
制御部用電源回路３４は、定電流電源回路２０の出力電圧から制御部３５を動作させるための電源電圧を生成する回路である。制御部用電源回路３４は、例えば、一定の電圧を出力する小型のスイッチングレギュレータまたはシリーズレギュレータ等である。
【００４９】
制御部３５は、制御部３５の内部または外部から第一可視光通信信号を取得し、取得した第一可視光通信信号に応じて第一スイッチング素子３３をスイッチングする（オン及びオフする）制御を行う。この結果、第一ＬＥＤ素子７０が第一可視光通信信号に応じて点滅する。
【００５０】
制御部３５は、具体的には、制御部用電源回路３４によって生成された電源電圧で動作するマイクロコンピュータである。制御部３５は、例えば、プログラムを保持するＲＯＭ（Ｒｅａｄ  Ｏｎｌｙ  Ｍｅｍｏｒｙ）、一時的な記憶領域としてのＲＡＭ（Ｒａｎｄｏｍ  Ａｃｃｅｓｓ  Ｍｅｍｏｒｙ）、プログラムを実行するプロセッサ、Ａ／Ｄコンバータ及びＤ／Ａコンバータ等の入出力回路、カウンタ・タイマ等で構成されるＬＳＩ（Ｌａｒｇｅ  Ｓｃａｌｅ  Ｉｎｔｅｇｒａｔｉｏｎ）である。制御部３５は、例えば、内蔵のプログラムに従って第一スイッチング素子３３をオン及びオフする。
【００５１】
以上、第一変調回路３０の回路構成について説明したが、このような回路構成は、一例である。第一変調回路３０は、その他の回路構成であってもよい。なお、第二変調回路４０には、第一変調回路３０と同様の回路構成が適用できる。したがって、第二変調回路４０の具体的な回路構成の説明については省略される。
【００５２】
［筐体］
点灯装置１０は、筐体を備えてもよい。例えば、図４に示されるように、点灯装置１０は、定電流電源回路２０、第一変調回路３０、及び、第二変調回路４０を収容する筐体１００を備える。図４は、定電流電源回路２０、第一変調回路３０、及び、第二変調回路４０が１つの筐体１００に収容される場合の点灯装置１０の外観図である。
【００５３】
筐体１００は、例えば、アルミニウムなどの金属材料によって形成されるが、ポリブチレンテレフタレート樹脂などの樹脂材料によって形成されてもよい。
【００５４】
このように、定電流電源回路２０、第一変調回路３０、及び、第二変調回路４０が一つの筐体１００に収容されれば、点灯装置１０が複数の筐体を備える場合よりも部品点数を減らすことができる。つまり、点灯装置１０のコストの低減が実現される。また、上述のように、平滑コンデンサＣ３が省略されることによっても点灯装置１０のコスト低減が実現される。
【００５５】
筐体１００内では、定電流電源回路２０、第一変調回路３０、及び、第二変調回路４０は、同一の基板に実装されていてもよいし、それぞれ別の基板に実装されていてもよい。定電流電源回路２０、第一変調回路３０、及び、第二変調回路４０がそれぞれ別の基板に実装されている場合、変調回路が実装された基板の数の変更により、変調回路の数の増減が可能となる。したがって、設計上及び製造上の変調回路の数の自由度が高められる。
【００５６】
また、定電流電源回路２０、第一変調回路３０、及び、第二変調回路４０は、それぞれ別の筐体に収容されていてもよい。図５は、定電流電源回路２０、第一変調回路３０、及び、第二変調回路４０がそれぞれ別の筐体に収容される場合の点灯装置１０の外観図である。
【００５７】
図５の例では、点灯装置１０は、第一変調回路３０を収容する第一筐体１０１と、第二変調回路４０を収容する第二筐体１０２と、定電流電源回路２０を収容する第三筐体１０３とを備える。第一筐体１０１、第二筐体１０２、及び、第三筐体１０３のそれぞれは、例えば、アルミニウムなどの金属材料によって形成されるが、ポリブチレンテレフタレート樹脂などの樹脂材料によって形成されてもよい。
【００５８】
この場合、定電流電源回路２０と第一変調回路３０とは、各筐体の外部に配置されたケーブル１０４によって電気的に接続され、定電流電源回路２０と第二変調回路４０とは、各筐体の外部に配置されたケーブル１０５によって電気的に接続される。第一変調回路３０と第二変調回路４０とは、各筐体の外部に配置されたケーブル１０６によって電気的に接続される。
【００５９】
このように、定電流電源回路２０、第一変調回路３０、及び、第二変調回路４０がそれぞれ別の筐体に収容されれば、定電流電源回路２０に対する変調回路の着脱が容易となるため、定電流電源回路２０に接続される変調回路の数の増減が容易となる。例えば、第一変調回路３０及び第二変調回路４０の一方の接続を切り離して定電流電源回路２０に接続される変調回路を１つにすること、及び、変調回路をさらに追加して定電流電源回路２０に接続される変調回路を３つ以上にすることが容易となる。言い換えれば、点灯装置１０における変調回路の数の自由度が高められる。
【００６０】
なお、図５の構成では、定電流電源回路２０において、出力端子２２ａ及び出力端子２２ｂの間に平滑コンデンサＣ３が接続されることで、ケーブル１０４及びケーブル１０５からの輻射ノイズを低減することができる。
【００６１】
［効果等］
以上説明したように、点灯装置１０は、定電流電源回路２０と、定電流電源回路２０の出力端子２２ａ及び出力端子２２ｂ間に直列接続された第一変調回路３０及び第二変調回路４０と、第一変調回路３０に並列接続される第一コンデンサ５０と、第二変調回路４０に並列接続される第二コンデンサ６０とを備える。第一変調回路３０は、定電流電源回路２０または第一コンデンサ５０から得られる電流を第一可視光通信信号に応じて変調して第一ＬＥＤ素子７０に供給する。第二変調回路４０は、定電流電源回路２０または第二コンデンサ６０から得られる電流を第二可視光通信信号に応じて変調して第二ＬＥＤ素子８０に供給する。第一ＬＥＤ素子７０は、第一発光素子の一例であり、第二ＬＥＤ素子８０は、第二発光素子の一例である。
【００６２】
これにより、点灯装置１０は、１つの定電流電源回路２０を用いて複数種類のデータ信号を並行して出力することができる。
【００６３】
また、第一変調回路３０は、第一ＬＥＤ素子７０に直列に接続され、第一可視光通信信号に応じてスイッチングされる第一スイッチング素子３３を有してもよい。第二変調回路４０は、第二ＬＥＤ素子８０に直列に接続され、第二可視光通信信号に応じてスイッチングされる第二スイッチング素子４３を有してもよい。
【００６４】
これにより、第一変調回路３０は、第一スイッチング素子３３をスイッチングすることによって電流を第一可視光通信信号に応じて変調することができる。第二変調回路４０は、第二スイッチング素子４３をスイッチングすることによって電流を第二可視光通信信号に応じて変調することができる。
【００６５】
また、定電流電源回路２０は、定電流出力のフライバックコンバータ回路２６を有し、出力端子２２ａ及び出力端子２２ｂ間に平滑コンデンサＣ３を有しなくてもよい。フライバックコンバータ回路２６は、コンバータ回路の一例である。
【００６６】
このように、平滑コンデンサＣ３が省略されることにより、点灯装置１０のコスト低減が実現される。なお、点灯装置１０においては、第一コンデンサ５０及び第二コンデンサ６０が平滑コンデンサＣ３と同様の機能を果たすことができる。
【００６７】
また、点灯装置１０は、さらに、定電流電源回路２０、第一変調回路３０、及び、第二変調回路４０を収容する筐体１００を備えてもよい。
【００６８】
これにより、点灯装置１０が定電流電源回路２０、第一変調回路３０、及び、第二変調回路４０に対応して複数の筐体を備える場合よりも部品点数を減らすことができる。つまり、点灯装置１０のコストの低減が実現される。
【００６９】
また、点灯装置１０は、さらに、第一変調回路３０を収容する第一筐体１０１と、第二変調回路４０を収容する第二筐体１０２と、定電流電源回路２０を収容する第三筐体１０３とを備える。
【００７０】
これにより、定電流電源回路２０に対する変調回路の着脱が容易となるため、定電流電源回路２０に接続される変調回路の数の増減が容易となる。
【００７１】
（実施の形態２）
実施の形態２では、点灯装置１０を備える照明器具について説明する。図６は、点灯装置１０を備える照明器具の外観図である。
【００７２】
図６に示される照明器具１２０は、部屋の天井、壁、または柱等の構造物に設置されるスポットライトである。照明器具１２０は、回路ボックス１２１と、第一灯体１２２と、ケーブル１２３と、第二灯体１２４と、及び、ケーブル１２５とを備える。
【００７３】
回路ボックス１２１は、点灯装置１０を収容するボックスである。回路ボックス１２１は、例えば、上述の筐体１００に相当する。
【００７４】
第一灯体１２２は、第一ＬＥＤ素子７０を収容する。ケーブル１２３は、回路ボックス１２１に収容された点灯装置１０と、第一灯体１２２に収納された第一ＬＥＤ素子７０とを電気的に接続する。第二灯体１２４は、第二ＬＥＤ素子８０を収容する。ケーブル１２５は、回路ボックス１２１に収容された点灯装置１０と、第二灯体１２４に収納された第二ＬＥＤ素子８０とを電気的に接続する。
【００７５】
以上説明したように照明器具１２０は、点灯装置１０と、第一ＬＥＤ素子７０と、第二ＬＥＤ素子８０とを備える。
【００７６】
これにより、照明器具１２０は、１つの定電流電源回路２０を用いて複数種類のデータ信号を並行して出力することができる。ユーザは、例えば、第一灯体１２２によって照らされる領域を、撮像装置を有するスマートフォンなどの携帯端末によって撮像することにより、第一データ信号を読み取ることができる。また、ユーザは、例えば、第二灯体１２４によって照らされる領域を、携帯端末によって撮像することにより、第二データ信号を読み取ることができる。
【００７７】
なお、照明器具１２０においては、点灯装置１０の全体が回路ボックス１２１に収容されたが、定電流電源回路２０が回路ボックス１２１に収容され、第一変調回路３０が第一灯体１２２に収容され、第二変調回路４０が第二灯体１２４に収容されてもよい。
【００７８】
なお、図６の例では、照明器具１２０は、スポットライトとして実現されたが、スポットライト以外の照明器具として実現されてもよい。例えば、照明器具１２０は、シャンデリア、シーリングライト、スタンドライト、和風照明、ブラケットライト、フットライト、ペンダントライト、ベースライト、ダウンライト、キッチンライト、浴室灯、または、エクステリアライト等であってもよい。
【００７９】
（実施の形態３）
実施の形態３では、点灯装置１０を備える看板について説明する。図７は、点灯装置１０を備える看板の外観図である。
【００８０】
図７に示される看板１３０は、枠体１３１と、第一表示板１３２と、第二表示板１３３とを備える。また、図示されないが、看板１３０は、枠体１３１、第一表示板１３２、及び、第二表示板１３３によって構成される筐体の内部に、点灯装置１０と、第一ＬＥＤ素子７０と、第二ＬＥＤ素子８０とを備える。なお、点灯装置１０は、筐体の外側に配置されてもよい。
【００８１】
第一表示板１３２は、枠体１３１で囲まれた領域を表側から塞ぐ。第一表示板１３２は透光性を有し、文字及び図形の少なくとも一方を含む。第二表示板１３３は、枠体１３１で囲まれた領域を裏側から塞ぐ。第二表示板１３３は透光性を有し、文字及び図形の少なくとも一方を含む。
【００８２】
看板１３０の内部において、第一ＬＥＤ素子７０は、第一表示板１３２に向けて光を発するように配置され、第二ＬＥＤ素子８０は、第二表示板１３３に向けて光を発するように配置されている。したがって、第一表示板１３２は、第一ＬＥＤ素子７０によって照らされ、第二表示板１３３は、第二ＬＥＤ素子８０によって照らされる。
【００８３】
以上説明したように、看板１３０は、点灯装置１０と、第一ＬＥＤ素子７０と、第二ＬＥＤ素子８０と、第一ＬＥＤ素子７０によって照らされ、文字及び図形の少なくとも一方を含む第一表示板１３２と、第二ＬＥＤ素子８０によって照らされ、文字及び図形の少なくとも一方を含む第二表示板１３３とを備える。
【００８４】
このような看板１３０は、看板１３０の表側に第一データ信号を出力することができ、看板１３０の裏側に第二データ信号を出力することができる。つまり、看板１３０は、表側及び裏側のそれぞれに異なるデータ信号を並行して出力することができる。
【００８５】
ユーザは、例えば、第一表示板１３２（看板１３０の表側）を、携帯端末によって撮像することにより、第一データ信号を読み取ることができる。また、ユーザは、例えば、第二表示板１３３（看板１３０の裏側）を、携帯端末によって撮像することにより、第二データ信号を読み取ることができる。
【００８６】
なお、第一表示板１３２及び第二表示板１３３は、いずれも枠体１３１の表側に配置されてもよい。図８は、点灯装置１０を備える別の態様の看板の外観図である。
【００８７】
図８に示される看板１４０は、枠体１４１と、第一表示板１４２と、第二表示板１４３とを備える。また、図示されないが、看板１４０は、枠体１４１、第一表示板１４２、及び、第二表示板１４３で構成される筐体の内部に、点灯装置１０、第一ＬＥＤ素子７０、及び、第二ＬＥＤ素子８０を備える。なお、点灯装置１０は、筐体の外側に配置されてもよい。
【００８８】
第一表示板１４２及び第二表示板１４３のそれぞれは、枠体１４１で囲まれた領域を表側から塞ぐ。例えば、第一表示板１４２は、看板１４０に向かう人から見て左側に配置され、第二表示板１４３は、右側に配置される。第一表示板１４２及び第二表示板１４３のそれぞれは透光性を有し、文字及び図形の少なくとも一方を含む。第一表示板１４２及び第二表示板１４３は、一体形成された１つの表示板であってもよいし、別体であってもよい。
【００８９】
看板１４０の内部において、第一ＬＥＤ素子７０は、第一表示板１４２に向けて光を発するように配置され、第二ＬＥＤ素子８０は、第二表示板１４３に向けて光を発するように配置されている。したがって、第一表示板１４２は、第一ＬＥＤ素子７０によって照らされ、第二表示板１４３は、第二ＬＥＤ素子８０によって照らされる。
【００９０】
このような看板１４０は、看板１４０の表側において、第一データ信号及び第二データ信号を並行して出力することができる。つまり、看板１４０は、看板１４０の表側に異なる複数のデータ信号を並行して出力することができる。
【００９１】
ユーザは、例えば、第一表示板１４２（看板１４０の左側）を、携帯端末によって撮像することにより、第一データ信号を読み取ることができる。また、ユーザは、例えば、第二表示板１４３（看板１４０の右側）を、携帯端末によって撮像することにより、第二データ信号を読み取ることができる。
【００９２】
（その他の実施の形態）
以上、実施の形態について説明したが、本発明は、このような実施の形態に限定されるものではない。
【００９３】
例えば、上記実施の形態では、第一ＬＥＤ素子は、第一可視光通信信号に応じて点灯及び消灯すると説明されたが、第一ＬＥＤ素子が消灯することは必須ではない。第一ＬＥＤ素子は、明るい状態と暗い状態とを繰り返せばよい。例えば、第一ＬＥＤ素子は、暗い状態において最大の明るさの１０％程度で発光していてもよい。同様に、第一ＬＥＤ素子は、明るい状態において最大の明るさで発光する必要はなく、最大の明るさの９０％で発光してもよい。第二ＬＥＤ素子についても同様である。
【００９４】
また、上記実施の形態で説明された回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、または容量素子等の素子が接続されたものも本発明に含まれる。
【００９５】
また、本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９６】
１０  点灯装置
２０  定電流電源回路
２２ａ、２２ｂ  出力端子
２６  フライバックコンバータ回路（コンバータ回路）
３０  第一変調回路
３３  第一スイッチング素子
４０  第二変調回路
４３  第二スイッチング素子
５０  第一コンデンサ
６０  第二コンデンサ
７０  第一ＬＥＤ素子（第一発光素子）
８０  第二ＬＥＤ素子（第二発光素子）
１００  筐体
１０１  第一筐体
１０２  第二筐体
１０３  第三筐体
１２０  照明器具
１３０、１４０  看板
１３２、１４２  第一表示板
１３３、１４３  第二表示板
Ｃ３  平滑コンデンサ
【図１】
2018200762.tif 000003
【図２】
2018200762.tif 000004
【図３】
2018200762.tif 000005
【図４】
2018200762.tif 000006
【図５】
2018200762.tif 000007
【図６】
2018200762.tif 000008
【図７】
2018200762.tif 000009
【図８】
2018200762.tif 000010